(57)【要約】【課題】  顔の立体的形状に対応することができる他、折り畳み可能であり、且つ携帯に便利なフェイスマスクを提供する。【解決手段】  マスク内側から外方が透視でき、外方からマスク内側が見えない布等で構成され、その中央上半部分に略逆Ｖ字状の上側凸所４が形成され、中央下半部分には略Ｖ字状の下側凸所７が形成されており、上側凸所７が鼻に被せられ、上側凸所７の下部には空気清浄フィルターが設けられている。更に、マスク上縁には頭部に装着されるバンド体１１が取り付けられている。【選択図】  図１
2005320664.tif 000002
【特許請求の範囲】
【請求項１】
マスク内側から外方が透視でき、外方からマスク内側が見えない素材からなるフェイスマスクであって、中央上半部分に設けられた略逆Ｖ字状の立体化用線と該略逆Ｖ字状立体化用線の中央に設けられた上側稜線とにより、中央部から上縁に向かって低くなる上側凸所が形成されており、中央下半部分に設けられた略Ｖ字状の立体化用線と該略Ｖ字状立体化用線の中央に設けられた下側稜線とにより、中央部から下縁に向かって低くなる下側凸所が形成されており、上側凸所が鼻に被せられ、上側稜線と下側稜線とによって折り畳み
可能となされている、フェイスマスク。
【請求項２】
全体が布製であり、各立体化用線および各稜線が縫い線である、請求項１記載のフェイスマスク。
【請求項３】
上側凸所および／または下側凸所がフィルターとなされている、請求項１または請求項２記載のフェイスマスク。
【請求項４】
上側凸所と下側凸所との間にフィルターが設けられている、請求項１または請求項２記載のフェイスマスク。
【請求項５】
上側凸所の内側に、該上側凸所を上下に仕切る隔壁が設けられている、請求項１〜請求項４のうちのいずれか一項記載のフェイスマスク。
【請求項６】
隔壁が正面からみて略逆Ｖ字状となされている、請求項５記載のフェイスマスク。
【請求項７】
頭部に装着されるバンド体が上縁に取り付けられた、請求項１〜請求項６のうちのいずれか一項記載のフェイスマスク。
【請求項８】
抗菌加工が施された、請求項１〜請求項７のうちのいずれか一項記載のフェイスマスク。
【請求項９】
洗濯可能な素材で構成されている、請求項１〜請求項８のうちのいずれか一項記載のフェイスマスク。
【発明の詳細な説明】
【技術分野】
【０００１】
本発明は、電車やバス等の車内、航空機内、或いはこれら交通機関の待合所等において、仮眠をとる場合に、顔を覆うのに用いられるフェイスマスクに関する。
【背景技術】
【０００２】
電車やバスの車内、或いは航空機内等において、女性が仮眠をとる場合、寝顔を他人に見られたくないという心理がある。そのため、通常、女性は、ハンカチで顔を覆ったり、航空機内ではアイマスクを着用したりしている。
【０００３】
しかしながら、ハンカチで顔を覆った場合、電車、バスまたは航空機の揺れやエアコンディショナによる送風等に伴って、ハンカチが顔からズレ落ちてしまうおそれがある。また、アイマスクを着用した場合には、そのバント体が女性の頭部に装着されるため、前述したハンカチのように、顔からズレ落ちるおそれはないものの、アイマスクは、基本的に目だけを覆うものであるため、顔の下半部が隠れず、特に口が露出するという不都合がある他、周囲が全く見えないため、ハンドバック等の手回り品を盗まれるおそれがあった。
【０００４】
この他、顔全体を覆うマスク本体を眼鏡枠状部材等で支持し、必要に応じてマスク本体を折り畳むようにしたフェイスマスクも知られている。
【特許文献１】特開２０００−５４２１６号公報
【発明の開示】
【発明が解決しようとする課題】
【０００５】
しかしながら、前述したフェイスマスクの場合、眼鏡枠状部材等にマスク本体を取り付けて使用するものであるが、構造が複雑であるため、使い難く、また眼鏡枠状部材は折り畳み可能であるものの、折り畳み状態においても嵩張るため、女性のハンドバック等に入れて持ち歩くのにも不便であるという不都合があった。
【０００６】
本発明の目的は、着用時において、顔からズレ落ちることがなく、しかも周囲が見え、また携帯にも便利なフェイスマスクを提供することにある。
【課題を解決するための手段】
【０００７】
請求項１記載のフェイスマスクは、マスク内側から外方が透視でき、外方からマスク内側が見えない素材で構成され、中央上半部分に設けられた略逆Ｖ字状の立体化用線と該略逆Ｖ字状立体化用線の中央に設けられた上側稜線とにより、中央部から上縁に向かって低くなる上側凸所が形成されており、中央下半部分に設けられた略Ｖ字状の立体化用線と該略Ｖ字状立体化用線の中央に設けられた下側稜線とにより、中央部から下縁に向かって低くなる下側凸所が形成されており、上側凸所が鼻に被せられ、上側稜線と下側稜線とによって折り畳み可能となされているものである。なお、前記立体化用線には、後述する縫い線の他、接着テープ等による接合線、或いは折り線等、立体化に供される種々の線が含まれる。
【０００８】
請求項２記載の本発明は、前記請求項１記載のフェイスマスクについて、全体が布製であり、各立体化用線および各稜線が縫い線であることを特徴とするものである。なお、前記布とは、平織りや繻子織り等が施されたものの他、不織布等種々のものが含まれる。また、フェイスマスクを構成する繊維等に紫外線を遮断する機能（ＵＶカット）を有するものやマイナスイオンを発生する機能を有するものを用いるようにしても良い。
【０００９】
請求項３記載の本発明は、前記請求項１または請求項２記載のフェイスマスクについて、その上側凸所および／または下側凸所がフィルターとなされていることを特徴とするものである。
【００１０】
請求項４記載の本発明は、前記請求項１または請求項２記載のフェイスマスクについて、上側凸所と下側凸所との間にフィルターが設けられていることを特徴とするものである。
【００１１】
なお、前記フィルターとしては、例えば空気清浄効果を有し、埃や煙草の副流煙等を除去したり、軽減したりする機能を有するものが挙げられる。また、前記フィルターは、不織布等の専用のものの他、例えばガーゼ等であっても良い。また、フィルターは、例えば消臭作用等の他の作用や機能を有するものであっても良い。
【００１２】
請求項５記載の本発明は、前記請求項１〜請求項４のうちのいずれか一項記載のフェイスマスクについて、その上側凸所の内側に、該上側凸所を上下に仕切る隔壁が設けられていることを特徴とするものである。
【００１３】
請求項６記載の本発明は、前記請求項５記載のフェイスマスクについて、隔壁が正面からみて略逆Ｖ字状となされていることを特徴とするものである。
【００１４】
請求項７記載の本発明は、前記請求項１〜請求項６のうちのいずれか一項記載のフェイスマスクについて、頭部に装着されるバンド体が上縁に取り付けられていることを特徴するものである。
【００１５】
請求項８記載の本発明は、前記請求項１〜請求項７のうちのいずれか一項記載のフェイスマスクについて、抗菌加工が施されていることを特徴とするものである。
【００１６】
請求項９記載の本発明は、前記請求項１〜請求項８のうちのいずれか一項記載のフェイスマスクについて、洗濯可能な素材で構成されていることを特徴するものである。
【発明の効果】
【００１７】
請求項１および請求項２記載のフェイスマスクによれば、マスク内側から外方が透視でき、外方からマスク内側が見えない素材で構成されているため、特に女性は周囲の人目を気にすることなく、安心して仮眠をとることができる。また、フェイスマスクの上側凸所が鼻に被せられると共に、該上側凸所の存在によって、マスクの中央部から上縁部分が使用者の額に接近する一方、略Ｖ字状の下側凸所によって、マスクの中央部から下縁部分が使用者の顎に接近して垂下する構造となされているため、顔の立体構造に沿って当該フェイスマスクが被せられ得る。この他、当該フェイスマスクは、着用時においても周囲の状況が見えるため、このようなフェイスマスクを着用した使用者の鞄等は、泥棒が手を出し難いことから、マスク使用時においても手回り品の盗難を防止することができる。
【００１８】
また、請求項３および請求項４記載のフェイスマスクは、前述した効果の他に、フィルターが設けられているため、埃がまっていたり、喫煙が行われている場所でも、これら埃や副流煙を吸うことなく、快適に仮眠をとることができる。
【００１９】
請求項５記載のフェイスマスクは、その上側凸所にこれを上下に仕切る隔壁が設けられているため、マスク使用者の吐いた息が隔壁によって遮断され、上側凸所内を上昇することがない。従って、マスク使用者の使用感が軽減され得る。また、請求項６記載のフェイスマスクは、前記隔壁が略逆Ｖ字状となされ、これが使用者の鼻に被せられることとなるため、顔面における当該フェイスマスクの安定性および上側凸所の形態保持性が向上する。
【００２０】
請求項７記載のフェイスマスクは、頭部に装着されるバンド体を有するため、前述した当該マスク自体の立体構造と相俟って、電車やバス等の揺れ、あるいは車内のエアコンディショナの送風等による当該マスクのズレを確実に防止することができる。
【００２１】
請求項８記載のフェイスマスクは、前述した効果の他に、抗菌加工がされているため、衛生的である。
【００２２】
請求項９記載のフェイスマスクは、前述した効果の他に、洗濯可能な素材で構成されているため、衛生的であると共に、洗って繰り返し使用することができる。
【発明を実施するための最良の形態】
【００２３】
次に、本発明の実施形態を図面にしたがって説明するが、本発明はかかる実施形態に限定されるものではなく、その要旨の範囲内で種々の変形実施が可能である。
【００２４】
図１および図２に示すように、フェイスマスク１は、その中央上半部分に設けられた逆Ｖ字状の縫い線２と該逆Ｖ字状縫い線２の中央に稜線状に設けられた上側縫い線３とにより、中央部から上縁に向かって低くなる上側凸所４が形成されており、中央下半部分に設けられたＶ字状の縫い線５と該Ｖ字状縫い線５の中央に稜線状に設けられた下側縫い線６とにより、中央部から下縁に向かって低くなる下側凸所７が形成されており、上側凸所４の下縁４ａと下側凸所７の上縁７ａ間に空気清浄フィルター８が縫着されている。
【００２５】
本実施形態では、上側縫い線３および下側縫い線６は、稜線を形成するように、所謂つまみ縫いとされている。また、Ｖ字状の縫い線５は、当該フェイスマスク１の内側でつまみ縫いされることにより、マスク１の外側にダーツが形成されたものである。
【００２６】
更に、本実施形態では、図１〜図３に示すように、上側凸所４は、予めフェイスマスク１の中央部から上縁寄り部分にかけて形成された三角形の開口部１３に対して、マスク１の表側から略三角形の上側凸所形成用布片１４を被せて、該布片１４の両側縁と開口部１３の両側縁同士を運針で縫着（略逆Ｖ字状縫い線２）してなるものである。また、空気清浄フィルター８は、その上縁が上側凸所形成用布片１４の下縁に縫着され、当該フィルター８の下縁は、下側凸所７の上縁７ａに縫着されている。
【００２７】
なお、前記上側凸所形成用布片１４は、空気清浄フィルター８まで覆うように延長し、当該布片１４の内面と空気清浄フィルター８を縫着するようにしても良い。
【００２８】
フェイスマスク１は、例えば綿や合成繊維を用いて平織りや繻子織り等を行うことにより得られた布製であって、繊維の太さや目幅は、マスク内側から外方が透視でき、外方からマスク内側が見えないように設定されている。これは、図４に示すように、フェイスマスク１を着用した人の目１０がフェイスマスク１に非常に近いため、マスク１に対する使用者の視野が広いのに対し、周囲の人の目２０はフェイスマスク１から離れているため、マスク１に対する他人の視野は狭くなるという視覚作用を利用したものである。したがって、同じ目幅の布であっても、フェイスマスク１の着用者自身は、布の網目を通して外方を透視することができる一方、周囲の人は、フェイスマスク１内方の着用者の顔を見ることができないこととなる。
【００２９】
図５に示すように、フェイスマスク１は、その中央に形成された上側縫い線３と下側縫い線６とにより、容易に二つ折りにすることができる。また、上側凸所４と下側凸所７との間における空気清浄フィルター８の縫着部分で更に二つ折りにすることでハンカチと同様に折り畳んだ状態とすることができる。
【００３０】
また、本実施形態では、フェイスマスク１の上縁に袋状部９が形成されており、図１に示すように、該袋状部９には後述するバンド体１１が挿通される。
【００３１】
すなわち、図６に示すように、前記バンド体１１は、平面から見て略Ｃ形であって、中央のヒンジ部材１２と左右の合成樹脂製湾曲状部材１６Ａ・１６Ｂとからなり、左右の湾曲状部材１６Ａ・１６Ｂの基部１７ａ・１７ｂ側から左右方向に弾性的に開離自在となされている。また、前記基部１７ａ・１７ｂは二股状となされており、且つ該基部１７ａ・１７ｂはフェイスマスク１の上縁における袋状部９の両端から突出するようになされている。また、バンド体１１の両端には、滑り止め用のゴムシート等を貼着しても良い。
【００３２】
図７に示すように、前記ヒンジ部材１２は、例えば眼鏡枠に使用されるものと同様であり、左右一対の部材２１・２２からなり、左側部材２１の右端部には、所定間隔をあけて、２つの筒状部２３ａ・２３ｂが設けられ、右側部材２２の左端部には、前記筒状部２３ａ・２３ｂ間に入る筒状部２４が設けられ、これら筒状部２３ａ・２３ｂ・２４内に形成された雌ネジに、１本のビス２５を嵌合させることにより、左右部材２１・２２が互いに回動可能に連結される。そして、図８に示すように、バンド体１１が折り畳まれるようになされている。
【００３３】
また、本実施形態では、フェイスマスク１の上縁１ａは、左右方向に伸びる直線状となされ、フェイスマスク１の下縁１ｂは、半楕円状となされている。
【００３４】
なお、当該フェイスマスク１は、前述したように布製であるため、洗濯可能であり、且つ抗菌加工が施されている。また、本実施形態における縫い線は、他の基礎縫い方法等により適宜変更可能である。
【００３５】
この他、本実施形態では、フェイスマスク１とバンド体１１とを別体構成としたが、フェイスマスク１の上縁にバンド体を一体に設けるようにしても良い。また、本実施形態では、上側凸所４と下側凸所７との間に空気清浄フィルター８を設けたが、これを省略して上側凸所４と下側凸所７とが連なるようにすることもある。
【００３６】
次に、本実施形態に係るフェイスマスク1の使用方法について述べると、使用者が当該フェイスマスク1を使用するときには、二つ折り状態のバンド体１１におけるヒンジ部材１２を介してバンド体１１を略Ｃ形に拡げた状態とし、該バンド体１１をフェイスマスク１の上縁における袋状部９に挿通した後、バンド体１１をその基部１７ａ・１７ｂ側から開離させて、頭部に装着することで、ファイスマスク１が顔面に垂れ下がり、その上側凸所４を鼻に被せるだけで、顔が覆われた状態となる。この場合、フェイスマスク１には、上側凸所４と下側凸所７とが形成されているため、図９に示すように、マスク中央１ｃから上縁部分１ａが額方向へ接近した状態となり、またマスク中央１ｃから下縁部分１ｂが顎方向へ接近した状態となる。したがって、フェイスマスク１は、顔の立体構造に対応して常に密着した状態となる。
【００３７】
一方、フェイスマスク１の使用後においては、前記バンド体１１をフェイスマスク１上縁の袋状部９から抜いて、該バンド体１１を再び二つ折り状態とし、またフエイスマスク１も折り畳んで、これらをハンドバッグや服のポケット等に入れておく。
【００３８】
なお、フェイスマスク１は、前述したように、顔に密着し得る構造であるため、使用者が列車や航空機内におけるリクライニングシートを倒して横たわった姿勢の場合には、前記バンド体１１を使用することなく、フェイスマスク１だけを顔に被せるようにしても良い。また、頭にカチューシャを付けている女性の場合、バンド１１を省略し、フェイスマスク１上縁の袋状部９にカチューシャを挿通してフェイスマスク１を支持するようにしても良い。
【００３９】
図１０〜図１２は他の実施形態に係るフェイスマスクを示している。すなわち、フェイスマスク３１は、マスク内側から外方が透視でき、外方からマスク内側が見えないように構成された布製であって、その中央上半部分に設けられた逆Ｖ字状の縫い線３２と該逆Ｖ字状縫い線３２の中央に稜線状に設けられた上側縫い線３３とにより、中央部から上縁に向かって低くなる上側凸所３４が形成されており、中央下半部分に設けられたＶ字状の縫い線３５と該Ｖ字状縫い線３５の中央に稜線状に設けられた下側縫い線３６とにより、中央部から下縁に向かって低くなる下側凸所３７が形成されている。
【００４０】
そして、本実施形態においては、下側凸所３７がフィルターとなされ、フェイスマスク１の中央下半部に形成された正面からみて逆三角形の開口部３８に、マスク内側から下側凸所３７を構成するフィルター素材４５を被せ、Ｖ字状の縫い線３５により固定されている。またその中央に前記下側縫い線３６が形成されている。なお、フィルターからなる下側凸所３７の上縁と上側凸所３４の下縁は縫着されている。
【００４１】
更に、上側凸所３４の内側には、正面から見て逆V字状の隔壁３９が形成され、該隔壁３９は当該フェイスマスク３１と同じ布４０製であって、その前縁部が上側凸所３４の内面に縫着４１されている。
【００４２】
本実施形態のフェイスマスク３１は、前記隔壁３９を使用者の鼻に被せて使用するものである。
【産業上の利用可能性】
【００４３】
本発明のフェイスマスクは比較的安価に製造することができるため、個人的に使用する他、鉄道やバスの運行会社、航空会社等が乗客に本フェイスマスクを景品として配布することもでき、幅広い普及が期待できる。
【図面の簡単な説明】
【００４４】
【図１】バンド体を取り付けた状態のフェイスマスクの斜視図である。
【図２】フェイスマスクの正面図である。
【図３】フェイスマスクの背面図である。
【図４】フェイスマスクに対する視野の広狭を示す図である。
【図５】フェイスマスクを二つ折りにした状態の正面図である。
【図６】バンド体の斜視図である。
【図７】バンド体におけるヒンジ部材の拡大図である。
【図８】バンド体を折り畳んだ状態の斜視図である。
【図９】顔に対するフェイスマスクの密着状態を示す側面図である。
【図１０】他の実施形態に係るフェイスマスクの正面図である。
【図１１】同実施形態に係るフェイスマスクの背面図である。
【図１２】同実施形態に係る折り畳み状態のフェイスマスクの側面図である。
【符号の説明】
【００４５】
１  フェイスマスク
２  逆Ｖ字状縫い線
３  上側縫い線
４  上側凸所
５  Ｖ字状縫い線
６  下側縫い線
７  下側凸所
８  空気清浄フィルター
１１  バンド体
【図１】
2005320664.tif 000003
【図２】
2005320664.tif 000004
【図３】
2005320664.tif 000005
【図４】
2005320664.tif 000006
【図５】
2005320664.tif 000007
【図６】
2005320664.tif 000008
【図７】
2005320664.tif 000009
【図８】
2005320664.tif 000010
【図９】
2005320664.tif 000011
【図１０】
2005320664.tif 000012
【図１１】
2005320664.tif 000013
【図１２】
2005320664.tif 000014